(57)【要約】【課題】再生専用の光ディスクにおいても、データを再生する順番等の編集情報を、編集情報の設定を行った装置とは別の装置でも利用することができる記録再生装置を提供する。【解決手段】記録再生装置は、本体１において、光ディスク１１に記録された再生データを順次再生する光ディスク制御部１５と、再生データの再生順序に関する編集情報を記憶し、本体１に対して着脱可能に構成されている記憶装置１９と、編集情報を読み出し、再生順序に従って光ディスク１１の再生データを光ディスク制御部１５に再生させるコントローラ１６とを備えている。【選択図】　図１
2004133972.tif 000002
【特許請求の範囲】
【請求項１】
記録媒体に記録された複数のデータを順次再生する再生手段と、
上記データの再生順序に関する編集情報を記憶し、記録再生装置本体に対して着脱可能に構成されている記憶手段と、
上記編集情報に基づいて上記再生手段を制御することにより、上記再生順序に従って上記記録媒体のデータを上記再生手段に再生させる制御手段とを備えていることを特徴とする記録再生装置。
【請求項２】
上記記憶手段は、上記編集情報を記憶する半導体メモリを備えていることを特徴とする請求項１に記載の記録再生装置。
【請求項３】
上記記憶手段は、上記編集情報を記憶する磁気ディスクを備えていることを特徴とする請求項１に記載の記録再生装置。
【請求項４】
上記記憶手段は、上記編集情報を記憶する光ディスクを備えていることを特徴とする請求項１に記載の記録再生装置。
【請求項５】
上記編集情報は、記録媒体上におけるデータの位置を示す情報であることを特徴とする請求項１に記載の記録再生装置。
【請求項６】
上記編集情報は、各データの再生の開始時および終了時について、記録媒体の再生開始時からの経過時間を示す情報であることを特徴とする請求項１に記載の記録再生装置。
【請求項７】
上記記録媒体は、再生専用の光ディスクであることを特徴とする請求項１に記載の記録再生装置。
【請求項８】
上記データに関する管理情報を表示する表示手段を備えていることを特徴とする請求項１に記載の記録再生装置。
【発明の詳細な説明】
【０００１】
【発明の属する技術分野】
本発明は、記録媒体に対して情報を任意の順序でプログラム再生する記録再生装置に関するものである。
【０００２】
【従来の技術】
近年、大容量なデータを格納する情報媒体（記録媒体）として、ＣＤ（Ｃｏｍｐａｃｔ　Ｄｉｓｃ）やＤＶＤ（Ｄｉｇｉｔａｌ　Ｖｉｄｅｏ　Ｄｉｓｃ，　Ｄｉｇｉｔａｌ　Ｖｅｒｓａｔｉｌｅ　Ｄｉｓｃ）といった光ディスクが普及している。これら光ディスクの特徴としては、大容量でありかつ可搬性があること、また、ランダムアクセスが可能であるということ等が挙げられる。
【０００３】
このランダムアクセス性を利用して、光ディスクに格納されている音楽データや画像データ等の再生順序を任意に指定して再生する、いわゆるプログラム再生機能を有する光ディスク装置（記録再生装置）がある。
【０００４】
このような光ディスク装置においてプログラム再生を行う場合は、次のような手順で行う。
【０００５】
まず、光ディスク装置に再生したい光ディスクをセットする。光ディスク装置は光ディスクの管理情報を参照し、光ディスクに格納されている音楽データや画像データ等の総データ数や総時間、また画像データの場合はサムネール画像等を、光ディスク装置に備えられているディスプレイや、外部のディスプレイに表示する。
【０００６】
ユーザはこのディスプレイを参照しながら、再生させたいデータを選択し順番を決定する。このとき、光ディスク装置はユーザが設定した順番を記憶する。そして、ユーザがプログラム再生モードを実行すると、光ディスク装置はユーザが設定した順番に従ってデータの再生を行う。
【０００７】
このようにして、光ディスク装置では、ユーザが設定した通りの順番でデータの再生を行うことができる。
【０００８】
しかしながら、上記設定を行った光ディスク装置では上記のようなプログラム再生を行うことができるが、別の装置にて同一の光ディスクの再生を先と同様の順番にて行うためには、別の装置においても先の設定を再度繰り返して行う必要があり、ユーザにとって非常に手間がかかる。
【０００９】
そこで、デジタルビデオカセット（以下、カセットと称する）の編集情報をカセットに付属するメモリに記録することにより、別の装置においても先に設定した編集情報を利用することができる編集補助装置がある（例えば、特許文献１参照）。
【００１０】
また、光磁気ディスクや相変化光ディスク等に代表される記録／再生が可能な光ディスクの場合、編集情報をディスク自体に記録する記録再生装置もある（例えば、特許文献２参照）。
【００１１】
【特許文献１】
特開平１０−１７４０４３号公報（１９９８年６月２６日公開）
【００１２】
【特許文献２】
特開平１１−１７６１３７号公報（１９９９年７月２日公開）
【００１３】
【発明が解決しようとする課題】
しかしながら、特許文献１に記載の編集補助装置においては、撮影されたビデオの内容の編集を目的とするものである。このため編集情報はデジタルビデオカセットに付属する、言い換えるとカセットとメモリとは１対１の関係であり、切り離すことが不可能なメモリに編集情報を記憶する構成となっている。
【００１４】
このため、編集情報を利用できるのはそのカセットを再生する場合に対してのみである。即ち、同一の内容が格納された別のカセットを再生する場合でも、同様の順序で再生を行うには、やはりそれぞれのカセットに付属するメモリに同一の編集情報を記憶させない限り編集情報を利用することができない。
【００１５】
また、ＣＤやＤＶＤといった、現在普及している再生専用の光ディスクの場合、カートリッジ自体が存在しないため光ディスクに付属したメモリを持つことは困難である。
【００１６】
さらに、特許文献２に記載のような記録／再生が可能な光ディスクを用いる場合は、編集情報をディスク自体に記録することが可能であるとしても、現在普及している再生専用の光ディスクを用いる場合は、編集情報をディスク自体に記録することは不可能である。
【００１７】
本発明は、上記の問題点に鑑みてなされたものであり、その目的は、再生専用の光ディスクにおいても、データを再生する順番等の編集情報を、編集情報の設定を行った装置とは別の装置でも利用することができる記録再生装置を提供することにある。
【００１８】
【課題を解決するための手段】
本発明の記録再生装置は、上記の課題を解決するため、記録媒体に記録された複数のデータを順次再生する再生手段と、上記データの再生順序に関する編集情報を記憶し、記録再生装置本体に対して着脱可能に構成されている記憶手段と、上記編集情報に基づいて上記再生手段を制御することにより、上記再生順序に従って上記記録媒体のデータを上記再生手段に再生させる制御手段とを備えていることを特徴としている。
【００１９】
通常、記録媒体に記録されている再生データは複数のデータからなり、記録再生装置は、複数のデータを順次再生する。
【００２０】
上記の構成によれば、記録媒体に記録されている複数のデータの再生順序を、記憶手段が記憶する。従って、記録再生装置は、制御手段により、この記憶された編集情報に基づき、予め記憶された再生順序に従ってデータを再生することができる。即ち、再生手段は、予め指定された任意の再生順序で、データを再生（プログラム再生）することができる。
【００２１】
また、この記憶手段は、記録再生装置本体（本体）に対して着脱可能であるため、記憶手段に記憶された編集情報は、別の記録再生装置でも利用可能となる。即ち、記憶手段に記憶されている編集情報は、記録再生装置本体の電源がオフされた場合でも保持される。
【００２２】
従って、記憶手段を、編集情報を記憶手段に記憶させた記録再生装置とは別の記録再生装置に取り付けて、編集情報の記憶に用いた記録媒体、または、当該記録媒体と同一のデータが記録された他の記録媒体の再生を行う場合でも、編集情報を用いてプログラム再生することができる。
【００２３】
この結果、上記別の記録再生装置において記録媒体の再生を行った場合、ユーザが新たに再生順序の設定を行わなくても、予め指定された任意の再生順序でプログラム再生することができる。このため、ユーザは、記憶手段への編集情報の設定の手間を省略することができる。
【００２４】
上記の記録再生装置は、記憶手段が、編集情報を記憶する半導体メモリを備えていることが好ましい。
【００２５】
上記の構成によれば、編集情報を記憶するものとして構成が簡単であり、かつ、体積の小さな半導体メモリを用いることができる。従って、記憶手段、ひいては記録再生装置の構成において、簡易化および小型化を図ることができる。
【００２６】
上記の記録再生装置は、記憶手段が、編集情報を記憶する磁気ディスクを備えていることが好ましい。
【００２７】
上記の構成によれば、編集情報を記憶するものとして安価な磁気ディスクを用いることができる。従って、安価な記録再生装置を提供することができる。
【００２８】
上記の記録再生装置は、記憶手段が、編集情報を記憶する光ディスクを備えていることが好ましい。
【００２９】
上記の構成によれば、編集情報を記憶するものとして記憶容量の大きな光ディスクを用いることができる。従って、記憶容量の大きな記憶手段とすることができる。この結果、大容量の編集情報を記憶することができ、複雑な編集情報の設定も行うことができる。
【００３０】
上記の記録再生装置は、編集情報が、記録媒体上におけるデータの位置を示す情報、または、各データの再生の開始時および終了時について、記録媒体の再生開始時からの経過時間を示す情報であることが好ましい。
【００３１】
上記の構成によれば、制御手段が編集情報に基づいて再生手段を制御することにより、予め記憶された順序に従ってデータの再生を行うことができる。
【００３２】
上記の記録再生装置は、記録媒体が、再生専用の光ディスクであることが好ましい。
【００３３】
上記の構成によれば、編集情報を光ディスク自体に記憶させることができない再生専用の光ディスクにおいても、記憶手段を用いることで、予め指定された任意の再生順序で、プログラム再生することができる。
【００３４】
上記の記録再生装置は、データに関する管理情報を表示する表示手段を備えていることが好ましい。ここで、管理情報には、例えば、データの総数や、各データが要する再生時間等が含まれる。
【００３５】
上記の構成によれば、ユーザは、表示手段に表示された管理情報を見ながら、編集情報の設定をすることができる。従って、簡単に編集情報の設定をすることができる。
【００３６】
【発明の実施の形態】
本発明の実施の一形態について図１ないし図１０に基づいて説明すれば、以下の通りである。
【００３７】
図１は、本実施の形態に係る記録再生装置の要部の構成を示す。また、図２は、本実施の形態に係る記録再生装置の外観を示す。本記録再生装置は、記録・再生機能を有する。本実施の形態において、本記録再生装置は、光ディスク（記録媒体）１１に記録されている再生データの再生、記憶装置（記憶手段）１９への後述する編集情報の記録（記憶）、記憶装置に記憶されている編集情報の読み出し等を行う。
【００３８】
図２に示すように、本記録再生装置は、ディスク挿入口２、メモリ挿入口３、ディスプレイ４、および、スイッチ部５を有する本体１と、記憶装置１９（図１参照）とを備える。
【００３９】
ここで、記憶装置１９は、本体１に対して着脱可能に構成されている。なお、図１は、記憶装置１９が本体１のメモリ挿入口３から挿入され、本体１の図示しないメモリ接続端子に接続されている場合の構成を示している。
【００４０】
ディスク挿入口２は、例えばＣＤ（Ｃｏｍｐａｃｔ　Ｄｉｓｃ）やＤＶＤ（Ｄｉｇｉｔａｌ　Ｖｉｄｅｏ　Ｄｉｓｃ，　Ｄｉｇｉｔａｌ　Ｖｅｒｓａｔｉｌｅ　Ｄｉｓｃ）といった光ディスク１１（図１参照）を本体１に挿入するための挿入口である。
【００４１】
ここで、光ディスク１１は、再生専用のディスクである、また、光ディスク１１に記録されている再生データは複数のデータからなり、これらのデータの再生順序は、ユーザの設定によって決定することができる。この再生順序の設定方法については、後に詳述する。
【００４２】
メモリ挿入口３は、光ディスク１１に記録されているデータの再生順序を記憶するための記憶装置１９（図１参照）を本体１に挿入するための挿入口である。
【００４３】
ディスプレイ４は、本体１に挿入された光ディスク１１に記憶されている再生データに関する管理情報を表示する。ここで、管理情報とは、例えば、例えばデータの総数や、データの再生時間等である。
【００４４】
スイッチ部５は、光ディスク１１において記録されているデータの再生順序を設定するためのものである。なお、このような再生順序を任意に設定して再生を行うプログラム再生において、再生順序はスイッチ部５以外から設定することもできる。例えば、本体１を離れたところから制御する図示しないリモコン（遠隔制御装置）によってプログラム再生の設定を行うようにしてもかまわない。
【００４５】
また、図１に示すように、本体１は、光ディスク制御部（再生手段）１５、コントローラ（制御手段）１６、および、記憶装置（記憶手段）１９を備えている。
【００４６】
さらに、光ディスク制御部１５は、光ディスク１１を制御するものであり、スピンドルモータ１２、光ピックアップ装置１３、および、信号処理部１４を備えている。また、光ディスク制御部１５は、ディスク挿入口２（図２参照）から挿入された光ディスク１１の情報を読み出す。
【００４７】
スピンドルモータ１２は、ディスク挿入口２から本体１に挿入された光ディスクを回転させる。
【００４８】
光ピックアップ装置１３は、回転する光ディスク１１にレーザ光を照射するとともに、光ディスク１１からの反射光を受光して電気信号に変換し、信号処理部１４に入力する。
【００４９】
信号処理部１４は、サーボ制御や、光ディスク１１に記録されている各種情報の検出や、コントローラ１６とのインターフェース等を行う。
【００５０】
記憶装置１９は、半導体メモリ部（半導体メモリ）１８および信号処理部１７を備えている。記憶装置１９は、本体１に対して着脱可能に構成された外付けの不揮発性記憶手段である。
【００５１】
信号処理部１７は、コントローラ１６とのインターフェースを行ったり、コントローラ１６からの記録信号を半導体メモリ部１８に記録したりする。ここで、記録信号とは、後述する編集情報等、半導体メモリ部１８に記録される情報をいう。
【００５２】
コントローラ１６は、本体１の動作を制御するものであり、例えば、光ディスク制御部１５の動作の制御や、信号処理部１４において検出した光ディスク１１の管理情報のディスプレイ４等への表示を行う。
【００５３】
また、コントローラ１６は、ユーザが光ディスク１１に対する編集情報を記憶装置１９に新たに設定した場合や、記憶装置１９に予め編集情報が設定されていた場合には、その編集情報に従って、光ディスク１１における再生データを再生するように光ディスク制御部１５を制御する。
【００５４】
さらにコントローラ１６は、ユーザが設定した編集情報を記憶装置１９に記憶させる。
【００５５】
次に、半導体メモリ部１８および半導体メモリ部１８に記憶される編集情報について説明する。
【００５６】
図３は、半導体メモリ部１８において編集情報を記憶するための記憶領域（上記複数の領域、以下、データ領域と称する）の構成を示す図である。ここで、データ領域においては、記憶されるある特定のデータ量のデータに対して、それぞれアドレスが付与される。なお、この特定のデータ量とは特に決まった量ではなく、単にそのデータがどこに格納されているかが特定するためのものである。
【００５７】
例えば、本実施の形態においては、図３に示すように、データ領域のアドレスを０番地〜ｎ番地として、データ領域を（ｎ＋１）個のブロックに分割する。
【００５８】
（ｎ＋１）個に分割された各ブロックには、それぞれ、記憶する編集情報に対応する光ディスク１１を識別するためのＩＤ情報や、データを再生する順序等の編集情報が格納されている。ＩＤ情報は、本体１に挿入されている光ディスク１１と記憶装置１９に格納されている編集情報の対象とが同一のものであるか否かを確認するために用いられる。
【００５９】
ここでは、アドレス０番地にはＩＤ情報を、アドレス１〜ｎ番地にはデータを再生する順序（１番目〜ｎ番目：ｎは自然数）に関する情報が格納されている。即ち、アドレス１番地には、１番目に再生するデータに関する情報Ｐ１が格納されている。
【００６０】
コントローラ１６はこのような編集情報を半導体メモリ部１８のデータ領域から読み取り、編集情報に応じて光ディスク１１におけるデータの再生を行う。
【００６１】
ここで、アドレスｍ番地（１≦ｍ≦ｎ：ｍは自然数）に設定されており、ｍ番目に再生を行う情報Ｐｍの一例を図４に示す。
【００６２】
図４に示すように、アドレスｍ番地には、ｍ番目に再生されるデータの光ディスク１１上の位置を示す情報が格納されている。即ち、アドレスｍ番地には、ｍ番目に再生を開始するときの開始アドレスと、再生を終了するときの終了アドレスとが格納されている。
【００６３】
コントローラ１６は、このように格納された開始アドレスと終了アドレスとに従って、光ディスク制御部１５を制御することにより、光ディスク１１の再生データを再生する。これにより、ユーザが設定した所望の順序で、再生データの再生を行うことができる。
【００６４】
即ち、ユーザがディスプレイ４等を介して、あるデータをｍ番目に再生すると設定した場合、コントローラ１６は、そのデータの開始アドレスと終了アドレスとを記憶装置１９に（半導体メモリ部１８におけるアドレスｍ番地に情報Ｐｍとして）記憶させる。
【００６５】
なお、編集情報については、データの再生順序がわかるものであれば、特に限定されるものではない。例えば、図５に示すように、アドレスｍ番地には、ｍ番目に再生を開始するデータの絶対時間が格納されていてもかまわない。ここで、絶対時間とは、各データの再生の開始時および終了時について、光ディスク１１の再生開始時からの経過時間（開始時間、終了時間）を示す情報である。
【００６６】
コントローラ１６は、このように格納された絶対時間に従って、光ディスク制御部１５を制御することにより、光ディスク１１の再生データを再生する。これにより、ユーザが設定した所望の順序で、再生データの再生を行うことができる。
【００６７】
即ち、ユーザがディスプレイ４等を介して、あるデータをｍ番目に再生すると設定した場合、コントローラ１６は、そのデータの開始時間と終了時間とを記憶装置１９に記憶させる。
【００６８】
これにより、記憶装置１９を取り外し、別の記録再生装置に挿入しても、同一の光ディスクもしくは同一のデータが入った光ディスクの再生を、先に設定した所望の順序で行うことができ、ユーザが新たに編集情報を設定する手間を省略することができる。
【００６９】
以下、記録再生装置におけるプログラム再生の動作について、図６〜図８を用いて説明する。
【００７０】
図６は、データの再生順序を任意に記憶装置１９に対して設定するための動作を示すフローチャートである。
【００７１】
まず、本体１のディスク挿入口２から、本体１に光ディスク１１を（ステップ（Ｓ）１１）、メモリ挿入口３から記憶装置１９を（Ｓ１２）挿入する。
【００７２】
次に、光ディスク制御部１５により挿入された光ディスク１１の管理情報が読み取られ、コントローラ１６にその管理情報が転送される（Ｓ１３）。
【００７３】
そして、コントローラ１６は、その管理情報を、ディスプレイ４または本体１の外部に接続された他のディスプレイに表示させる（Ｓ１４）とともに、記憶装置１９の半導体メモリ部１８（メモリ）に編集情報が既に記憶されているか否かを検出する（Ｓ１５）。ここで、検出とは、具体的には、コントローラ１６が記憶装置１９に記憶されている情報を読み出し、編集情報が設定されているか否かを確認することをいう。
【００７４】
編集情報が設定されていない場合や、現在本体１に挿入されている光ディスク１１と、記憶装置１９において設定されている編集情報に対応する光ディスクとが異なる場合（Ｓ１５でＮｏ（Ｎ））は、新たに編集情報の設定を行う（Ｓ１６）。また、ユーザが新たに編集情報を記憶装置１９に設定したい場合も同様に、新たに編集情報の設定を行う。
【００７５】
この場合、ユーザはＳ１４にて表示された光ディスク１１の管理情報を参考にして、データの再生順序を決定し、本体１に対して編集情報を設定していく。これにより、コントローラ１６はこの設定された編集情報を記憶する（Ｓ１７）。
【００７６】
一方、挿入した記憶装置１９に既に編集情報が設定されている場合（Ｓ１５でＹｅｓ（Ｙ））、コントローラ１６は、その編集情報を読み出し、記憶する（Ｓ１７）。
【００７７】
その後、コントローラ１６は、記憶した編集情報に設定されている順序に従って、光ディスク制御部１５を制御する。これにより、所望の順序で再生動作を実行することができる（Ｓ１８）。
【００７８】
なお、本体１に光ディスク１１および記憶装置１９を挿入する順番（Ｓ１１・１２）は、どちらが先でもかまわない。
【００７９】
図７は、図６に示す編集情報の設定動作（Ｓ１６）について説明するフローチャートである。
【００８０】
図７に示すように、まず、ユーザは、ディスプレイ４等に表示された管理情報に基づいて、再生したいデータを順次選択して設定する（Ｓ２１）。
【００８１】
そして、その設定が完了する（Ｓ２２）と、設定した再生順序を記憶装置（メモリ）１９に記憶させるか否か決定する（Ｓ２３）。
【００８２】
記憶しない場合は（Ｓ２３でＮ）、これで再生順序（編集情報）の設定を完了する。
【００８３】
一方、記憶する場合（Ｓ２３でＹ）、ユーザがコントローラ１６に設定した再生順序を、コントローラ１６は記憶装置１９に編集情報として記憶させる（Ｓ２４）。
【００８４】
なお、編集情報を記憶装置１９に記憶させるタイミングとしては、特に限定されるものではない。例えば、コントローラ１６に設定した編集情報に基づいて、再生データを再生した後に、記憶装置１９に編集情報を記憶させるようにしてもかまわない。
【００８５】
図８は、図６に示す編集情報に基づく再生動作（Ｓ１８）について示すフローチャートである。ここで、編集情報としては、図４に示すものを用いて説明する。
【００８６】
図８に示すように、まず、編集情報がコントローラ１６に設定されると、コントローラ１６は、その編集情報を参照し、最初に再生されるべきデータ（再生データ）の位置を特定する（Ｓ３１）。
【００８７】
そして、コントローラ１６は、位置を特定したデータの再生を光ディスク制御部１５に指示する。すると、光ディスク制御部１５は、指示されたデータの再生を実行する（Ｓ３２）。
【００８８】
このデータの再生が終了した時点で、光ディスク制御部１５は、コントローラ１６に再生が終了したことを伝える（Ｓ３３）。
【００８９】
続いて、コントローラ１６は、再び編集情報を参照して、次に再生すべきデータ（再生データ）を特定する（Ｓ３４）。ここで、次に再生すべきデータがない場合（Ｓ３５でＹ）は再生動作を終了する。
【００９０】
一方、次に再生すべきデータがある場合（Ｓ３５でＮ）は、Ｓ３２から繰り返して、再生動作を行う。
【００９１】
なお、上記記憶装置１９は、編集情報を記憶することができるものであれば、特に限定されるものではなく、例えば、上述した半導体メモリ、ＭＲＡＭ（ｍａｇｎｅｔｉｃ　ｒａｎｄｏｍ　ａｃｃｅｓｓ　ｍｅｍｏｒｙ）などの磁気メモリ、あるいは、光ディスク等を用いるものでもかまわない。
【００９２】
以上のように、本記録再生装置は、光ディスク１１に記録された複数のデータを順次再生する光ディスク制御部１５と、データの再生順序に関する編集情報を記憶し、本体１に対して着脱可能に構成されている記憶装置１９と、編集情報に基づいて、上記再生順序に従って光ディスク１１のデータを光ディスク制御部１５に再生させるコントローラ１６とを備えている。
【００９３】
通常、光ディスクに記録されている再生データは複数のデータからなり、記録再生装置は、複数のデータを順次再生する。
【００９４】
上記の構成によれば、光ディスク１１に記録されている複数のデータの再生順序を、記憶装置１９が記憶する。従って、記録再生装置は、コントローラ１６により、この記憶された編集情報に基づき、予め記憶された再生順序に従ってデータを再生することができる。即ち、光ディスク制御部１５は、予め指定された任意の再生順序で、データを再生（プログラム再生）することができる。
【００９５】
また、この記憶装置１９は、記録再生装置本体（本体）に対して着脱可能であるため、記憶装置１９に記憶された編集情報は、別の記録再生装置でも利用可能となる。即ち、記憶装置１９に記憶されている編集情報は、本体１の電源がオフされた場合でも保持される。
【００９６】
従って、記憶装置１９を、編集情報を記憶装置１９に記憶させた記録再生装置とは別の記録再生装置に取り付けて、編集情報の記憶に用いた光ディスク１１、または、その光ディスク１１と同一のデータが記録された他の光ディスクの再生を行う場合でも、編集情報を用いてプログラム再生することができる。
【００９７】
この結果、上記別の記録再生装置において光ディスクの再生を行った場合に、ユーザが新たに再生順序の設定を行わなくても、予め指定された任意の再生順序でプログラム再生することができる。このため、ユーザは、記憶装置１９への編集情報の設定の手間を省略することができる。
【００９８】
また、本記録再生装置は、記憶装置１９が、半導体メモリであり、編集情報を記憶する半導体メモリ部１８を備えている。
【００９９】
上記の構成によれば、記憶装置１９に、編集情報を記憶するものとして構成が簡単であり、かつ、体積の小さいな半導体メモリを用いることができる。従って、記録再生装置の構成において、簡易化および小型化を図ることができる。
【０１００】
なお、本実施の形態において、光ディスク１１は再生専用の光ディスクを前提にして説明を行っているが、相変化光ディスクや光磁気ディスクのように記録・再生ができるものを用いても同様の効果が得られることは言うまでもない。
【０１０１】
ここで、記憶装置に磁気メモリを用いた例について、図９を用いて説明する。
【０１０２】
この場合、記録再生装置は、図９に示すように、図１で示す記憶装置１９のかわりに記憶装置２９を備えることとなる。記憶装置（磁気メモリ）２９は、編集情報が記憶される磁気ディスク２１と信号処理部２２とを備えている。
【０１０３】
信号処理部２２は、磁気ディスク２１の制御やコントローラ１６とのインターフェース等を行う。
【０１０４】
これにより、上記記憶装置１９を備えている場合と同様の効果を得ることができる。
【０１０５】
さらに、磁気ディスクは、半導体メモリよりも安価なため、記録装置２９を安価にすることができる。従って、安価な記録再生装置を提供することができる。
【０１０６】
また、記憶装置に光ディスクを用いた例について、図１０を用いて説明する。
【０１０７】
この場合、記録再生装置は、図１０に示すように、図１で示す記憶装置１９のかわりに記憶装置３９を備えることとなる。記憶装置３９は、編集情報が記憶される光ディスク３１と、スピンドルモータ３２と、光ピックアップ装置３３とを備えている。
【０１０８】
光ディスク３１は、例えば、相変化ディスクや光磁気ディスクである。スピンドルモータ３２は、挿入された光ディスク３１を回転させる。
【０１０９】
光ピックアップ装置３３は、光ディスク３１にレーザ光を照射し、その反射光を受光して電気信号に変換し、信号処理部３４に入力する。
【０１１０】
信号処理部３４は、サーボ制御や各種信号の検出およびコントローラ１６とのインターフェースを行う。
【０１１１】
これにより、上述した記憶装置１９や記憶装置２９を備えている場合と同様の効果を得ることができる。
【０１１２】
さらに、光ディスク３１を用いた場合、記憶装置として半導体メモリや磁気ディスクを用いた場合よりも、さらに記憶容量の大きな記憶装置とすることができる。これにより、大容量の編集情報を記憶することができ、複雑な編集情報の設定も行うことができる。
【０１１３】
なお、記憶装置１９・２９・３９は、編集情報の他の情報、例えば、音楽データ等が記憶される構成であってもかまわない。
【０１１４】
【発明の効果】
本発明の記録再生装置は、以上のように、記録媒体に記録された複数のデータを順次再生する再生手段と、上記データの再生順序に関する編集情報を記憶し、記録再生装置本体に対して着脱可能に構成されている記憶手段と、上記編集情報に基づいて上記再生手段を制御することにより、上記再生順序に従って上記記録媒体のデータを上記再生手段に再生させる制御手段とを備えている構成である。
【０１１５】
これにより、記録再生装置は、この記憶された編集情報に基づき、予め記憶された再生順序に従ってデータを再生することができる。即ち、再生手段は、予め指定された任意の再生順序で、データを再生（プログラム再生）することができる。
【０１１６】
また、この記憶手段は、記録再生装置本体（本体）に対して着脱可能であるため、記憶手段に記憶された編集情報は、別の記録再生装置でも利用可能となる。即ち、記憶手段に記憶されている編集情報は、記録再生装置本体の電源がオフされた場合でも保持される。
【０１１７】
従って、記憶手段を、編集情報を記憶手段に記憶させた記録再生装置とは別の記録再生装置に取り付けて、編集情報の記憶に用いた記録媒体、または、当該記録媒体と同一のデータが記録された他の記録媒体の再生を行う場合でも、編集情報を用いてプログラム再生することができる。
【０１１８】
この結果、上記別の記録再生装置において記録媒体の再生を行った場合、ユーザが新たに再生順序の設定を行わなくても、予め指定された任意の再生順序でプログラム再生することができる。このため、ユーザは、記憶手段への編集情報の設定の手間を省略することができるといった効果を奏する。
【０１１９】
本発明の記録再生装置は、記憶手段が、編集情報を記憶する半導体メモリを備えている構成である。
【０１２０】
これにより、編集情報を記憶するものとして構成が簡単であり、かつ、体積の小さな半導体メモリを用いることができる。従って、記憶手段、ひいては記録再生装置の構成において、簡易化および小型化を図ることができるといった効果を奏する。
【０１２１】
本発明の記録再生装置は、記憶手段が、編集情報を記憶する磁気ディスクを備えている構成である。
【０１２２】
これにより、編集情報を記憶するものとして安価な磁気ディスクを用いることができる。従って、安価な記録再生装置を提供することができるといった効果を奏する。
【０１２３】
本発明の記録再生装置は、記憶手段が、編集情報を記憶する光ディスクを備えている構成である。
【０１２４】
これにより、編集情報を記憶するものとして記憶容量の大きな光ディスクを用いることができる。従って、記憶容量の大きな記憶手段とすることができる。この結果、大容量の編集情報を記憶することができ、複雑な編集情報の設定も行うことができるといった効果を奏する。
【０１２５】
本発明の記録再生装置は、編集情報が、記録媒体上におけるデータの位置を示す情報、または、各データの再生の開始時および終了時について、記録媒体の再生開始時からの経過時間を示す情報である構成である。
【０１２６】
上記の構成によれば、制御手段が編集情報に基づいて再生手段を制御することにより、予め記憶された順序に従ってデータの再生を行うことができるといった効果を奏する。
【０１２７】
本発明の記録再生装置は、記録媒体が、再生専用の光ディスクである構成である。
【０１２８】
これにより、編集情報を光ディスク自体に記憶させることができない再生専用の光ディスクにおいても、記憶手段を用いることで、予め指定された任意の再生順序で、プログラム再生することができるといった効果を奏する。
【０１２９】
本発明の記録再生装置は、データに関する管理情報を表示する表示手段を備えている構成である。
【０１３０】
これにより、ユーザは、表示手段に表示された管理情報を見ながら、編集情報の設定をすることができる。従って、簡単に編集情報の設定をすることができるといった効果を奏する。
【図面の簡単な説明】
【図１】本発明の実施の一形態に係る記録再生装置の要部の構成を示すブロック図である。
【図２】上記記録再生装置を正面からみた場合の外観の構成を示す正面図である。
【図３】半導体メモリ部において編集情報を記憶するための記憶領域であるデータ領域の構成を示す図である
【図４】アドレスｍ番地に設定されており、ｍ番目に再生を行うデータの情報の一例を示す図である。
【図５】アドレスｍ番地に設定されており、ｍ番目に再生を行うデータの情報の他の一例を示す図である。
【図６】再生データの再生順序を任意に記憶装置対して設定するための動作を示すフローチャートである。
【図７】編集情報の設定動作について説明するフローチャートである。
【図８】編集情報に基づく再生動作について示すフローチャートである。
【図９】記憶装置に磁気ディスクを用いた場合の要部の構成を示すブロック図である。
【図１０】記憶装置に光ディスクを用いた場合の要部の構成を示すブロック図である。
【符号の説明】
１　　本体（記録再生装置本体）
２　　ディスク挿入口
３　　メモリ挿入口
４　　ディスプレイ
５　　スイッチ部
１１　　光ディスク（記録媒体）
１４　　信号処理部
１５　　光ディスク制御部（再生手段）
１６　　コントローラ（制御手段）
１７　　半導体メモリ部（半導体メモリ）
１９　　記憶装置（記憶手段）
２１　　磁気ディスク
２２　　信号処理部
２９　　記憶装置（記憶手段）
３１　　光ディスク
３４　　信号処理部
３９　　記憶装置（記憶手段）
【図１】
2004133972.tif 000003
【図２】
2004133972.tif 000004
【図３】
2004133972.tif 000005
【図４】
2004133972.tif 000006
【図５】
2004133972.tif 000007
【図６】
2004133972.tif 000008
【図７】
2004133972.tif 000009
【図８】
2004133972.tif 000010
【図９】
2004133972.tif 000011
【図１０】
2004133972.tif 000012